(57)【要約】【課題】回転電機の大型化を回避しながら、 冷媒に含まれる異物を捕捉可能な回転電機のロータを提供する。【解決手段】回転電機５０のロータ５１は、軸方向に複数の板状部材が積層されることで構成されたロータコア５３と、該ロータコア５３の内部に軸方向に貫通するように設けられた冷媒流路８１と、該冷媒流路８１に設けられ、冷媒に含まれる異物を収容する異物トラップ９０と、を備える。冷媒流路８１は、板状部材５３１、５３２に形成された孔部が径方向に重なることで構成され、異物トラップ９０は、ロータコア５３の回転軸心から孔部を区画する孔部形成面８１１、８１２までの距離が異なる板状部材５３１、５３２によって構成される。【選択図】図３Ａ
2019161867.tif 000002
【特許請求の範囲】
【請求項１】
軸方向に複数の板状部材が積層されることで構成されたロータコアと、
該ロータコアの内部に軸方向に貫通するように設けられた冷媒流路と、
該冷媒流路に設けられ、冷媒に含まれる異物を収容する異物トラップと、
を備えた回転電機のロータであって、
前記冷媒流路は、前記板状部材に形成された孔部が径方向に重なることで構成され、
前記異物トラップは、前記ロータコアの回転軸心から前記孔部を区画する孔部形成面までの距離が異なる前記板状部材によって構成される、
回転電機のロータ。
【請求項２】
請求項１に記載の回転電機のロータであって、
前記異物トラップは、前記冷媒流路の径方向外側に配置される、
回転電機のロータ。
【請求項３】
請求項１又は２に記載の回転電機のロータであって、
前記異物トラップは、前記冷媒流路の出口に設けられている、
回転電機のロータ。
【請求項４】
請求項１〜３のいずれか１項に記載の回転電機のロータであって、
前記軸方向に沿って複数の前記異物トラップが設けられている、
回転電機のロータ。
【請求項５】
請求項４に記載の回転電機のロータであって、
複数の前記異物トラップは、冷媒の流れ方向において、上流側から下流側に向かって間隔が狭くなっている、
回転電機のロータ。
【請求項６】
請求項４に記載の回転電機のロータであって、
複数の前記異物トラップは、前記冷媒流路の軸方向中央部で間隔が狭く、軸方向両端部で間隔が広くなっている、
回転電機のロータ。
【請求項７】
請求項４から６のいずれか１項に記載の回転電機のロータであって、
複数の前記異物トラップは、深さの異なる異物トラップを含む、
回転電機のロータ。
【請求項８】
請求項１から６のいずれか１項に記載の回転電機のロータであって、
前記板状部材は、
第１孔部を有する第１板状部材と、
第２孔部を有する第２板状部材と、を有し、
前記第２板状部材の前記距離は、前記第１板状部材の前記距離よりも短い、
回転電機のロータ。
【発明の詳細な説明】
【技術分野】
【０００１】
本発明は、車両用駆動装置などに用いられる回転電機のロータに関するものである。
【背景技術】
【０００２】
近年では、回転電機の高出力化に伴って、回転電機のロータを冷却することが検討されている。一般的に、回転電機のロータの冷却構造では、ロータコアの内部に冷媒を通すことでロータコアを冷却している。しかしながら、冷媒には鉄粉等の異物が含まれることがある。異物を含んだ冷媒がロータの外部に排出されると、ステータや変速装置を構成する回転要素等が損傷する虞がある。このため、冷媒に含まれる異物を捕捉する技術が提案されている。例えば、特許文献１では、ごく小さな異物、特に３０μｍ以下のコンタミナントの除去を可能とするオイルフィルタを適用する構成が開示されている。しかしながら、特殊なオイルフィルタは製造コストの増加する要因となる。
【０００３】
これに対し特許文献２では、回転電機の内部に潤滑油に含まれる鉄粉を捕捉するためのコンタミナント区画を配設し、該コンタミナント区画に潤滑油を流すようにする構成が開示されている。
【先行技術文献】
【特許文献】
【０００４】
【特許文献１】特開２００２−１２９９２５号公報
【特許文献２】特開２００７−１７４７５５号公報
【発明の概要】
【発明が解決しようとする課題】
【０００５】
しかしながら、特許文献２の回転電機の潤滑構造では、回転電機の内部にコンタミナント区画を形成する必要があるので、回転電機が大型化してしまう。
【０００６】
本発明は、回転電機の大型化を回避しながら、冷媒に含まれる異物を捕捉可能な回転電機のロータを提供する。
【課題を解決するための手段】
【０００７】
本発明は、
軸方向に複数の板状部材が積層されることで構成されたロータコアと、
該ロータコアの内部に軸方向に貫通するように設けられた冷媒流路と、
該冷媒流路に設けられ、冷媒に含まれる異物を収容する異物トラップと、
を備えた回転電機のロータであって、
前記冷媒流路は、前記板状部材に形成された孔部が径方向に重なることで構成され、
前記異物トラップは、前記ロータコアの回転軸心から前記孔部を区画する孔部形成面までの距離が異なる前記板状部材によって構成されている。
【発明の効果】
【０００８】
本発明によれば、ロータコアの回転軸心から孔部を区画する孔部形成面までの距離が異なる複数の板状部材を、孔部が径方向に重なるように積層することで、ロータコアの内部に軸方向に貫通する冷媒流路が形成され、冷媒流路には軸方向に沿って異物トラップとして機能する凹凸形状が形成される。これにより、冷媒流路を通る冷媒に含まれる鉄粉等の異物を凹凸形状の凸部手前で捕捉することができる。このように、ロータコアの回転軸心から孔部を区画する孔部形成面までの距離が異なる板状部材を積層するだけで異物を捕捉する異物トラップを形成することができるので、回転電機の大型化を回避しながら、冷媒に含まれる異物を捕捉することができる。
【図面の簡単な説明】
【０００９】
【図１】本発明の一実施形態における回転電機のロータの断面を斜め上方から見た斜視図である。
【図２】図１の回転電機のロータの断面図である。
【図３Ａ】第１実施形態の異物トラップの拡大図である。
【図３Ｂ】第１実施形態の変形例の異物トラップの拡大図である。
【図４Ａ】第２実施形態の異物トラップの拡大図である。
【図４Ｂ】第２実施形態の変形例の異物トラップの拡大図である。
【図５】第３実施形態の異物トラップの拡大図である。
【図６】第４実施形態の異物トラップの拡大図である。
【図７Ａ】第５実施形態の異物トラップの拡大図である。
【図７Ｂ】第５実施形態の変形例の異物トラップの拡大図である。
【図８】第６実施形態の異物トラップの拡大図である。
【図９】第７実施形態の異物トラップの拡大図である。
【図１０】変速機に一般的に使用されている不織布ストレーナにおける、異物の粒子径と捕捉効率との関係を表すグラフである。
【発明を実施するための形態】
【００１０】
以下、本発明の回転電機のロータの一実施形態を、図１及び図２を参照しながら説明する。
【００１１】
＜回転電機＞
図１及び図２に示すように、本実施形態の回転電機５０は、ロータ軸５６と、ロータ５１と、ロータ５１の外径側に僅かな隙間を介して対向するように配置されたステータ５２と、を備える。ロータ５１は、ロータコア５３と、ロータコア５３の軸方向の一側に配置される第１端面板５４と、ロータコア５３の軸方向の他側に配置される第２端面板５５と、ロータコア５３の内部に配置された磁石８２とから構成される。
【００１２】
＜回転軸＞
ロータ軸５６は、ロータ５１が圧入されることでロータ５１と一体回転可能に接続され、一対のベアリング５８を介してハウジング５９により回転自在に支持される。さらに、ロータ軸５６には、その内部に冷媒が流通する冷媒流路６３、及び、径方向に貫通する冷媒供給孔７０が形成される。
【００１３】
＜ロータコア＞
ロータコア５３は、軸方向に複数の板状部材５３１、５３２が積層され、カシメや接着等により接合されて構成される。板状部材５３１、５３２は、例えば、電磁鋼板をプレス加工することにより形成される。さらに、板状部材５３１、５３２には、径方向に重なる位置にそれぞれ孔部が形成されている。孔部が径方向に重なるように複数の板状部材５３１、５３２が軸方向に積層されることで、ロータコア５３の内部には、軸方向に貫通する冷媒流路８１が構成される。
【００１４】
また、ロータコア５３の外周部には、磁石８２が、周方向に等間隔で配置されている。磁石８２は、例えばネオジム磁石等の永久磁石である。
【００１５】
＜端面板＞
第１端面板５４は、ロータコア５３の軸方向一側の端面に対向して配置されており、ロータ軸５６を挿通する挿通孔８３が中央に形成される。挿通孔８３よりも径方向の外側には、排出口８４が周方向に等間隔で形成される。また、ロータコア５３が当接する第１端面板５４の内側面には、冷媒流路８１と排出口８４とを接続する径方向溝８５が形成される。
【００１６】
第２端面板５５は、ロータコア５３の軸方向他側の端面に対向して配置されており、ロータ軸５６を挿通する挿通孔８６が中央に形成され、挿通孔８６の内径側角部には、環状溝８７が形成されている。また、ロータコア５３が当接する第２端面板５５の内側面には、冷媒供給孔７０と冷媒流路８１とを接続する径方向溝８８が形成される。
【００１７】
＜ロータの冷却構造＞
回転電機５０は、ロータ５１の回転による発熱を低減するために、以下のようなロータ５１の内部に冷媒を導入してロータ５１を冷却する冷却構造を有する。
【００１８】
冷媒は、不図示の冷媒ポンプにより圧送され、ハウジング５９に形成された循環経路６０を介してロータ軸５６に形成された冷媒流路６３に供給される。
【００１９】
冷媒流路６３に供給された冷媒は、冷媒供給孔７０、第２端面板５５の環状溝８７、及び径方向溝８８を通って、冷媒流路８１に供給され、冷媒流路８１内を軸方向に流れてロータコア５３を内部から冷却する。
【００２０】
冷媒は、さらに、冷媒流路８１から第１端面板５４の径方向溝８５を通り、第１端面板５４に設けられた排出口８４からロータ５１の外部に排出される。排出口８４から排出された冷媒は、ステータ５２のコイルを冷却し、そして、再び、冷媒ポンプにより圧送されて循環経路６０を循環する。
【００２１】
＜異物捕捉構造＞
回転電機５０が車両用駆動装置として用いられる場合、冷媒には、例えば、変速機のＡＴＦ（Automatic Transmission Fluid）が用いられる。ＡＴＦは、一般に、変速機だけでなくエンジンや回転電機等の他の回転要素と共用され、回転要素の冷却とともに潤滑も行うため、鉄粉等の異物を含んでいる。
【００２２】
そこで、冷媒に含まれる異物を捕捉するために、ロータコア５３の内部を軸方向に貫通する冷媒流路８１には、以下のような異物トラップ９０が設けられている。冷媒に含まれる異物は、遠心力により冷媒とともに径方向外側に集まるため、以下の説明では、冷媒流路８１の径方向外側に設けられた異物トラップ９０を例に説明する。ただし、異物トラップ９０は、冷媒流路８１の径方向内側に設けられてもよく、冷媒流路８１の径方向内側と径方向外側との両方に設けられてもよい。
【００２３】
以下、第１〜第７実施形態の異物トラップ９０について図３Ａ〜図１０を参照しながら詳細に説明する。なお、図３Ａ〜図１０において、同一の種類の板状部材、即ち、同一の孔部形成面を持つ板状部材については適宜符号を省略する。
【００２４】
＜第１実施形態＞
図３Ａは、第１実施形態の異物トラップ９０の拡大図である。
第１実施形態の異物トラップ９０は、軸方向に積層された複数の板状部材５３１、５３２から構成される。より具体的に説明すると、板状部材５３１、５３２には、それぞれ孔部形成面８１１、８１２が形成されている。ここで、図１も参照しながら、回転軸心Ｏから孔部形成面８１１、８１２までの距離をそれぞれＨ１、Ｈ２とすると、回転軸心Ｏから孔部形成面８１２までの距離Ｈ２は、回転軸心から孔部形成面８１１までの距離Ｈ１よりも短くなっている。そのため、板状部材５３１の孔部形成面８１１が凹部、板状部材５３１の孔部形成面８１２が凸部となり、冷媒流路８１には軸方向に沿って凹凸形状が形成される。この冷媒流路８１に形成された凸部が冷媒に含まれる異物を捕捉する異物トラップ９０となり、図３Ａの矢印で示すように冷媒が冷媒流路８１内を流れる際、冷媒流路８１に形成された凸部手前で冷媒に含まれる異物が捕捉される。
【００２５】
このようにロータコア５３の回転軸心から孔部を区画する孔部形成面８１１、８１２までの距離が異なる板状部材５３１、５３２を積層するだけで異物トラップ９０を形成することができる。したがって、異物を捕捉するための区画を別途設ける必要はなく、回転電機の大型化を回避しながら、冷媒に含まれる異物を捕捉することができる。
【００２６】
ここで、冷媒流路８１の軸方向に沿って形成された凹凸形状の凹凸の高さは、任意の高さとすることができるが、好ましくは、５０μｍ〜２ｍｍであり、より好ましくは、１００μｍ〜１ｍｍである。
【００２７】
一般的に、変速機に使用されている不織布ストレーナでは、図１０に示すように、粒子径４０μｍの異物は８０％程度補足することができるが、粒子径２０μｍの異物は４５％程度、粒子径１０μｍの異物は２０％程度しか捕捉できない。しかしながら、冷媒流路８１の軸方向に沿って形成された凹凸形状の凹凸の高さを５０μｍ〜２ｍｍとすることで、この凹凸形状にて、冷媒に含まれる粒子径の小さな異物、特に４０μｍより小さな異物をより効果的に捕捉することができる。
【００２８】
また、第１実施形態の異物トラップ９０は、ロータコア５３の回転軸心から孔部形成面８１１、８１２までの距離が異なる２種類の板状部材５３１、５３２で形成することができるため、孔部形成面８１１、８１２を形成するための金型が２種類でよく、製造コストを削減することができる。また、第１実施形態の異物トラップ９０は、冷媒流路８１の軸方向に沿って複数形成されているので、冷媒流路８１の複数個所で異物を捕捉することができ、より確実に異物を捕捉することができる。
【００２９】
なお、図３Ａでは、冷媒は、ロータコア５３の軸方向一端側から他端側へと冷媒流路８１内を流れるものとして説明したが、変形例として、図３Ｂの矢印で示すように、ロータコア５３の軸方向中央部から両端側へと冷媒流路８１内を流れるものとしてもよい。
【００３０】
＜第２実施形態＞
図４Ａは、第２実施形態の異物トラップ９０の拡大図である。
第２実施形態の異物トラップ９０は、冷媒流路８１の出口に設けられる。より具体的に説明すると、ロータコア５３は、冷媒流路８１の出口部分が板状部材５３２となるように、板状部材５３１、５３２を軸方向に積層することにより構成される。この場合、冷媒流路８１の出口部分に凸部が形成され、この冷媒流路８１に形成された凸部が冷媒に含まれる異物を捕捉する異物トラップ９０となる。したがって、図４Ａの矢印で示すように冷媒が冷媒流路８１内を流れる際、冷媒流路８１の出口に形成された凸部手前で冷媒に含まれる異物が捕捉される。
【００３１】
このように、第２実施形態の異物トラップ９０は、冷媒流路８１の出口に設けられているので、冷媒流路８１の最下流部で異物を捕捉することができる。これにより、ロータコア５３内部の冷媒流路８１より下流の冷媒流路で冷媒に含まれる異物をより少なくすることができる。
【００３２】
なお、図４Ａでは、冷媒は、ロータコア５３の軸方向一端側から他端側へと冷媒流路８１内を流れるものとして説明したが、変形例として、図４Ｂの矢印で示すように、ロータコア５３の軸方向中央部から両端側へと冷媒流路８１内を流れるものとしてもよい。この場合、冷媒流路８１の出口部分はロータコア５３の軸方向両端となり、ロータコア５３は、軸方向両端部が板状部材５３２となるように板状部材５３１、５３２が軸方向に積層されることにより構成される。
【００３３】
＜第３実施形態＞
図５は、第３実施形態の異物トラップ９０の拡大図である。
第３実施形態の異物トラップ９０は、冷媒の流れ方向において、冷媒流路８１の上流側での間隔が広く、下流側での間隔が狭くなるように構成される。より具体的に説明すると、ロータコア５３は、冷媒流路８１の流れ方向において、上流側から下流側に向かって板状部材５３２が積層される間隔が狭くなるように、板状部材５３１、５３２を軸方向に積層することにより構成される。この場合、冷媒流路８１の流れ方向において、上流側は間隔が広く、下流に向かって間隔が狭くなるように凸部が形成され、この冷媒流路８１に形成された凸部が冷媒に含まれる異物を捕捉する異物トラップ９０となる。したがって、図５の矢印で示すように冷媒が冷媒流路８１内を流れる際、冷媒流路８１の出口に形成された凸部手前で冷媒に含まれる異物が捕捉される。
【００３４】
このように、第３実施形態の異物トラップ９０は、冷媒の流れ方向において、冷媒流路８１の上流側での間隔が広く、下流側での間隔が狭くなるように設けられているので、冷媒流路８１の上流側で粒子径が大きい異物を捕捉することができ、冷媒流路８１の下流側で粒子径が小さい異物を捕捉することができる。これにより、様々な粒子径の異物を捕捉することができる。
【００３５】
＜第４実施形態＞
図６は、第４実施形態の異物トラップ９０の拡大図である。
第４実施形態の異物トラップ９０は、冷媒流路８１の軸方向中央部で間隔が狭く、軸方向両端部で間隔が広くなるように構成される。より具体的に説明すると、ロータコア５３は、板状部材５３２が積層される間隔が、冷媒流路８１の軸方向中央部で狭く、軸方向両端部で広くなるように、板状部材５３１、５３２を軸方向に積層することにより構成される。この場合、冷媒流路８１の軸方向中央部で間隔が狭く、軸方向両端部で間隔が広くなるように凸部が形成され、この冷媒流路８１に形成された凸部が冷媒に含まれる異物を捕捉する異物トラップ９０となる。したがって、図６の矢印で示すように冷媒が冷媒流路８１内を流れる際、冷媒流路８１に形成された凸部手前で冷媒に含まれる異物が捕捉される。
【００３６】
このように、第４実施形態の異物トラップ９０は、冷媒流路８１の軸方向中央部で間隔が狭く、軸方向両端部で間隔が広くなるように設けられているので、冷媒の流れ方向によらず、例えば、冷媒がロータコア５３の軸方向中央部から両端側へと冷媒流路８１内を流れる場合であっても、冷媒は異物トラップ９０の間隔が広い領域と狭い領域の両方を通る。これにより、異物トラップ９０の間隔が広い領域で粒子径が大きい異物を捕捉することができ、異物トラップ９０の間隔が狭い領域で粒子径が小さい異物を捕捉することができるので、冷媒の流れ方向によらず、様々な粒子径の異物を捕捉することができる。
【００３７】
＜第５実施形態＞
図７Ａ及び図７Ｂは、第５実施形態の異物トラップ９０の拡大図である。
第５実施形態の異物トラップ９０は、軸方向に積層された複数の板状部材５３１、５３２、５３３、５３４から構成される。より具体的に説明すると、板状部材５３１、５３２、５３３、５３４にはそれぞれ孔部形成面８１１、８１２、８１３、８１４が形成される。ここで、回転軸心Ｏから孔部形成面８１１、８１２、８１３、８１４までの距離はそれぞれ異なる。そのため、隣接する板状部材よりも回転軸心から孔部形成面までの距離が長い板状部材が積層されている部分が凹部、隣接する板状部材よりも回転軸心から孔部形成面までの距離が短い板状部材が積層されている部分が凸部となり、冷媒流路８１には、隣接する板状部材との回転軸心から孔部形成面までの距離の差により、軸方向に沿って凹凸高さの異なる凹凸形状が形成される。この冷媒流路８１に形成された凸部が冷媒に含まれる異物を捕捉する異物トラップ９０となり、冷媒流路８１は軸方向に沿って深さの異なる異物トラップ９０が形成される。
【００３８】
これにより、深さの深い異物トラップ９０で粒子径が大きい異物を捕捉することができ、深さの浅い異物トラップ９０で粒子径が小さい異物を捕捉することができるので、様々な粒子径の異物を捕捉することができる。
【００３９】
なお、図７Ａは、冷媒が、ロータコア５３の軸方向一端側から他端側へと冷媒流路８１内を流れるものであり、図７Ｂは、冷媒が、ロータコア５３の軸方向中央部から両端側へと冷媒流路８１内を流れるものである。また、図７Ａ及び図７Ｂでは、板状部材の種類を４種類としたが、５種類以上としてもよい。
【００４０】
＜第６実施形態＞
図８は、第６実施形態の異物トラップ９０の拡大図である。
第６実施形態の異物トラップ９０は、冷媒の流れ方向において、冷媒流路８１の上流側での深さが深く、下流側での深さが浅くなるように構成される。
【００４１】
より具体的に説明すると、ロータコア５３は、軸方向に積層された複数の板状部材５３１、５３２、５３３、５３４から構成され、板状部材５３１、５３２、５３３、５３４にはそれぞれ孔部形成面８１１、８１２、８１３、８１４が形成される。ここで、回転軸心Ｏから孔部形成面８１１、８１２、８１３、８１４までの距離はそれぞれ異なり、８１２、８１４、８１３、８１１の順で回転軸心Ｏからの距離が長い。
【００４２】
そして、ロータコア５３は、冷媒流路８１の上流側の領域には、板状部材５３２と板状部材５３１とが積層されており、冷媒流路８１の下流側の領域には、板状部材５３２と板状部材５３４とが積層されており、冷媒流路８１の上流側と下流側の間の領域には、板状部材５３２と板状部材５３３とが積層されている。そのため、板状部材５３２の孔部形成面８３２が凸部、板状部材５３１、５３３、５３４が積層されている孔部形成面８３１、８３３、８３４が凹部となり、冷媒流路８１には軸方向に沿って凹凸形状が形成される。この冷媒流路８１に形成された凸部が冷媒に含まれる異物を捕捉する異物トラップ９０となり、冷媒が冷媒流路８１内を流れる際、冷媒流路８１に形成された凸部手前で冷媒に含まれる異物が捕捉される。
【００４３】
ここで、冷媒流路８１の上流側の領域の異物トラップ９０の深さは、回転軸心Ｏから孔部形成面８１２までの距離と回転軸心Ｏから孔部形成面８１１までの距離の差、冷媒流路８１の下流側の領域の異物トラップ９０の深さは、回転軸心Ｏから孔部形成面８１２までの距離と回転軸心Ｏから孔部形成面８１４までの距離の差、冷媒流路８１の上流側と下流側の間の領域の異物トラップ９０の深さは、回転軸心Ｏから孔部形成面８１２までの距離と回転軸心Ｏから孔部形成面８１３までの距離の差、となるので、冷媒流路８１の異物トラップ９０は、上流側での深さが深く、下流側での深さが浅くなるように構成される。
【００４４】
このように、第６実施形態の異物トラップ９０は、冷媒の流れ方向において、冷媒流路８１の上流側での深さが深く、下流側での深さが浅くなるように設けられているので、冷媒流路８１の上流側で粒子径が大きい異物を捕捉することができ、冷媒流路８１の下流側で粒子径が小さい異物を捕捉することができる。これにより、様々な粒子径の異物を捕捉することができる。
【００４５】
＜第７実施形態＞
図９は、第７実施形態の異物トラップ９０の拡大図である。
第７実施形態の異物トラップ９０は、冷媒流路８１の軸方向中央部での深さが浅く、軸方向両端部での深さが深くなるように構成される。
【００４６】
より具体的に説明すると、ロータコア５３は、軸方向に積層された複数の板状部材５３１、５３２、５３３、５３４から構成され、板状部材５３１、５３２、５３３、５３４にはそれぞれ孔部形成面８１１、８１２、８１３、８１４が形成される。ここで、回転軸心Ｏから孔部形成面８１１、８１２、８１３、８１４までの距離はそれぞれ異なり、８１２、８１４、８１３、８１１の順で回転軸心Ｏからの距離が長い。
【００４７】
そして、ロータコア５３は、冷媒流路８１の軸方向両端部の領域には、板状部材５３２と板状部材５３１とが積層されており、冷媒流路８１の軸方向中央部の領域には、板状部材５３２と板状部材５３４とが積層されており、冷媒流路８１の軸方向両端部と軸方向中央部の間の領域には、板状部材５３２と板状部材５３３とが積層されている。そのため、板状部材５３２の孔部形成面８３２が凸部、板状部材５３１、５３３、５３４が積層されている孔部形成面８３１、８３３、８３４が凹部となり、冷媒流路８１には軸方向に沿って凹凸形状が形成される。この冷媒流路８１に形成された凸部が冷媒に含まれる異物を捕捉する異物トラップ９０となり、冷媒が冷媒流路８１内を流れる際、冷媒流路８１に形成された凸部手前で冷媒に含まれる異物が捕捉される。
【００４８】
ここで、冷媒流路８１の軸方向両端部の領域の異物トラップ９０の深さは、回転軸心Ｏから孔部形成面８１２までの距離と回転軸心Ｏから孔部形成面８１１までの距離の差、冷媒流路８１の軸方向中央部の領域の異物トラップ９０の深さは、回転軸心Ｏから孔部形成面８１２までの距離と回転軸心Ｏから孔部形成面８１４までの距離の差、冷媒流路８１の軸方向両端部と軸方向中央部の間の領域の異物トラップ９０の深さは、回転軸心Ｏから孔部形成面８１２までの距離と回転軸心Ｏから孔部形成面８１３までの距離の差、となるので、冷媒流路８１の異物トラップ９０は、軸方向中央部の領域での深さが浅く、軸方向両端部の領域での深さが深くなるようになるように構成される。
【００４９】
このように、第７実施形態の異物トラップ９０は、冷媒流路８１の軸方向中央部での深さが浅く、軸方向両端部での深さが深くなるように設けられているので、冷媒の流れ方向によらず、例えば、冷媒がロータコア５３の軸方向中央部から両端側へと冷媒流路８１内を流れる場合であっても、冷媒は異物トラップ９０の深さが深い領域と浅い領域の両方を通る。これにより、異物トラップ９０の深さが深い領域で粒子径が大きい異物を捕捉することができ、異物トラップ９０の深さが浅い領域で粒子径が小さい異物を捕捉することができるので、冷媒の流れ方向によらず、様々な粒子径の異物を捕捉することができる。
【００５０】
なお、前述した実施形態は、適宜、変形、改良、等が可能である。例えば、孔部形成面８１１、８１２、８１３、８１４の形状は軸方向から見て、三角形状、円形状、楕円形状、矩形状、台形状等、任意の形状とすることができる。冷媒が孔部形成面８１１、８１２、８１３、８１４を通過する際に渦流が発生しやすい形状とすることで、より効率的に冷媒に含まれる異物を異物トラップにて捕捉することができる。
【００５１】
また、本明細書には少なくとも以下の事項が記載されている。なお、括弧内には、上記した実施形態において対応する構成要素等を示しているが、これに限定されるものではない。
【００５２】
（１）軸方向に複数の板状部材（板状部材５３１、５３２、５３３、５３４）が積層されることで構成されたロータコア（ロータコア５３）と、
該ロータコアの内部に軸方向に貫通するように設けられた冷媒流路（冷媒流路８１）と、
該冷媒流路に設けられ、冷媒に含まれる異物を収容する異物トラップ（異物トラップ９０）と、
を備えた回転電機（回転電機５０）のロータ（ロータ５１）であって、
前記冷媒流路は、前記板状部材に形成された孔部が径方向に重なることで構成され、
前記異物トラップは、前記ロータコアの回転軸心から前記孔部を区画する孔部形成面（孔部形成面８１１、８１２、８１３、８１４）までの距離が異なる前記板状部材によって構成される、
回転電機のロータ。
【００５３】
（１）によれば、ロータコアの回転軸心から孔部を区画する孔部形成面までの距離が異なる複数の板状部材を、孔部が径方向に重なるように積層することで、ロータコアの内部に軸方向に貫通する冷媒流路が形成され、冷媒流路には軸方向に沿って異物トラップとして機能する凹凸形状が形成される。これにより、冷媒流路を通る冷媒に含まれる鉄粉等の異物を凹凸形状の凸部手前で捕捉することができる。このように、ロータコアの回転軸心から孔部を区画する孔部形成面までの距離が異なる板状部材を積層するだけで異物を捕捉する異物トラップを形成することができるので、回転電機の大型化を回避しながら、冷媒に含まれる異物を捕捉することができる。
【００５４】
（２）  （１）に記載の回転電機のロータであって、
前記異物トラップは、前記冷媒流路の径方向外側に配置される、
回転電機のロータ。
【００５５】
（２）によれば、異物トラップは、冷媒流路の径方向外側に配置されるので、これにより、冷媒に含まれる異物が多く含まれる冷媒流路の径方向外側で異物を捕捉することができ、より効果的に異物を捕捉することができる。
【００５６】
（３）  （１）又は（２）に記載の回転電機のロータであって、
前記異物トラップは、前記冷媒流路の出口に設けられている、
回転電機のロータ。
【００５７】
（３）によれば、異物トラップは、ロータコア内部の冷媒流路の出口に設けられているので、ロータコア内部の冷媒流路の最下流部で異物を捕捉することができる。これにより、ロータコア内部の冷媒流路より下流側で冷媒に含まれる異物をより少なくすることができる。
【００５８】
（４）  （１）〜（３）のいずれかに記載の回転電機のロータであって、
前記軸方向に沿って複数の前記異物トラップが設けられている、
回転電機のロータ。
【００５９】
（４）によれば、異物トラップが、ロータコア内部の冷媒流路の軸方向に沿って複数設けられているので、ロータコア内部の冷媒流路の複数個所で異物を捕捉することができ、より確実に異物を捕捉することができる。
【００６０】
（５）  （４）に記載の回転電機のロータであって、
複数の前記異物トラップは、冷媒の流れ方向において、上流側から下流側に向かって間隔が狭くなっている、
回転電機のロータ。
【００６１】
（５）によれば、異物トラップは、冷媒の流れ方向において、冷媒流路の上流側での間隔が広く、下流側での間隔が狭くなるように構成されているので、冷媒流路の上流側で粒子径が大きい異物を捕捉することができ、冷媒流路の下流側で粒子径が小さい異物を捕捉することができるので、様々な粒子径の異物を捕捉することができる。
【００６２】
（６）  （４）に記載の回転電機のロータであって、
複数の前記異物トラップは、前記冷媒流路の軸方向中央部で間隔が狭く、軸方向両端部で間隔が広くなっている、
回転電機のロータ。
【００６３】
（６）によれば、異物トラップは、冷媒流路の軸方向中央部で間隔が狭く、軸方向両端部で間隔が広くなっているので、冷媒の流れ方向によらず、冷媒は異物トラップの間隔が広い領域と狭い領域の両方を通る。これにより、異物トラップの間隔が広い領域で粒子径が大きい異物を捕捉することができ、異物トラップの間隔が狭い領域で粒子径が小さい小さな異物を捕捉することができるので、冷媒の流れ方向によらず、様々な粒子径の異物を捕捉することができる。
【００６４】
（７）  （４）から（６）のいずれかに記載の回転電機のロータであって、
複数の前記異物トラップは、深さの異なる異物トラップを含む、
回転電機のロータ。
【００６５】
（７）によれば、複数の異物トラップは、深さの異なる異物トラップを含むので、深さの深い異物トラップで粒子径が大きい異物を捕捉することができ、深さの浅い異物トラップで粒子径が小さい異物を捕捉することができる。これにより、様々な粒子径の異物を捕捉することができる。
【００６６】
（８）  （１）から（６）のいずれかに記載の回転電機であって、
前記板状部材は、
第１孔部を有する第１板状部材（板状部材５３１）と、
第２孔部を有する第２板状部材（板状部材５３２）と、を有し、
前記第２板状部材の前記距離は、前記第１板状部材の前記距離よりも短い、
回転電機のロータ。
【００６７】
（８）によれば、ロータコアの回転軸心から孔部を区画する孔部形成面までの距離が異なる２種類の板状部材を積層するだけで、異物を捕捉する異物トラップが形成することができるので、孔部形成面を形成するための金型が２種類でよく、製造コストの削減を図ることができる。
【符号の説明】
【００６８】
５０  回転電機
５１  ロータ
５３  ロータコア
５３１、５３２、５３３、５３４  板状部材
８１  冷媒流路
８１１、８１２、８１３、８１４  孔部形成面
９０  異物トラップ
【図１】
2019161867.tif 000003
【図２】
2019161867.tif 000004
【図３Ａ】
2019161867.tif 000005
【図３Ｂ】
2019161867.tif 000006
【図４Ａ】
2019161867.tif 000007
【図４Ｂ】
2019161867.tif 000008
【図５】
2019161867.tif 000009
【図６】
2019161867.tif 000010
【図７Ａ】
2019161867.tif 000011
【図７Ｂ】
2019161867.tif 000012
【図８】
2019161867.tif 000013
【図９】
2019161867.tif 000014
【図１０】
2019161867.tif 000015